(57)【特許請求の範囲】
【請求項１】
映像データを格納するディスクと、
このディスクへの映像データの書き込みおよび読み出しを独立に実行する読み書き手段と、
外部のビデオテープレコーダの再生出力と前記ディスクの再生出力とを切り替えて外部のモニタへ出力する切替器と、
前記読み書き手段および前記切替器を制御する制御手段とを備えたノンリニア映像編集システムにおいて、
前記制御手段は、
ユーザのＥＸＥＣ指示に従い、ディスクに既に格納されている各映像シーンの開始位置および終了位置を表わすデータからなるプレイリストにより定められる複数のカットシーンのパッケージに対して、外部のビデオテープレコーダからの再生シーンを上書きまたは追加編集する際、
前記プレイリストに従うディスク再生出力と前記ビデオテープレコーダの当該再生シーンの出力とを前記切替器で切り替えて前記モニタへ出力することにより、書き込み中にリアルタイムに編集結果を観察できるようにするとともに、
書き込み中にユーザからＶＩＥＷ指示があったときには、書き込みを停止することなく、前記リアルタイムの編集結果の観察のための動作を中止するとともに、当該編集結果を反映するよう更新した仮のプレイリストに基づいて、再度同じ編集結果を前記ディスクのみからモニタへ再生出力するよう制御を行う
ことを特徴とするノンリニア映像編集システム。
【請求項２】
デジタル化された映像データを格納する不揮発性のランダムアクセス記憶装置と、
該ランダムアクセス記憶装置に対する映像データの書き込み手段およびこれと独立動作可能な読み出し手段と、
ユーザの指示に応じて外部のビデオテープレコーダを制御するとともに前記書き込み手段および読み出し手段を制御する制御手段と、
該制御手段により制御され、前記ビデオテープレコーダの再生出力と前記ランダムアクセス記憶装置の読み出し手段からの再生出力とを選択的に外部のモニタに出力する切替手段と、
前記制御手段は、前記ランダムアクセス記憶装置に既に格納されている映像シーンに対して前記ビデオテープレコーダの再生出力を上書きまたは追加する編集の際、当該上書きまたは追加の箇所または範囲、および、前記映像シーンに対して前記ビデオテープレコーダからの上書きまたは追加すべき再生出力の範囲の指定を受けて、当該ビデオテープレコーダの再生出力を前記書き込み手段により前記ランダムアクセス記憶装置に書き込むとき、
前記ビデオテープレコーダを制御してテープの指定された範囲の開始位置より予め定めた時間だけ前の位置から再生を開始すると共に、前記ランダムアクセス記憶装置の読み出し手段を制御して前記指定された箇所または範囲より前記時間だけ前の位置から再生を開始し、かつ、前記読み出し手段からの再生出力を選択するよう前記切替手段を制御し、その後、テープの再生が前記指定された範囲の開始位置に達したとき、前記書き込み手段により前記ランダムアクセス記憶装置に格納された映像シーンとは別に新たな映像シーンとして前記ランダムアクセス記憶装置に書き込みを開始するとともに前記テープの再生出力を選択するよう前記切替手段を制御し、さらにその後、テープの再生が前記指定された範囲の終了位置に達したとき、前記書き込み手段の書き込みを停止するとともに再度前記読み出し手段からの再生出力を選択するよう前記切替手段を制御し、さらにその後、テープの再生が前記終了位置より予め定めた時間だけ後の位置に達したとき前記読み出し手段の再生を停止し、前記ランダムアクセス記憶装置に格納された映像シーンのデータを変更することなく当該映像シーンと前記新たな映像シーンとの時間軸上での上書きまたは追加の結果得られる各シーンをその各シーンに対応する前記アランダムアクセス記憶装置内のシーンの開始位置および終了位置のデータで特定するプレイリストを作成し、
前記テープ上の全指定範囲の書き込みが終了するまでの間に、ユーザから編集結果の確認を行うためのビュー指示を受けたとき、前記テープの再生出力の書き込みは継続しながら、当該編集の結果を反映させた仮のプレイリストを作成してこの仮のプレイリストに従って再度前記開始位置より予め定めた時間だけ前の位置から前記ランダムアクセス記憶装置の読み出しを開始するとともに、前記読み出し手段の再生出力を選択するよう前記切替手段を制御することを特徴とするノンリニア映像編集システム。
【請求項３】
前記制御手段は、前記ビデオテープレコーダの再生出力の書き込みを、前記指定範囲の開始位置より予め指定された時間だけ前の位置から開始し、前記終了位置より予め指定された時間だけ後の位置で終了することを特徴とする請求項２記載のノンリニア映像編集システム。
【請求項４】
前記ランダムアクセス記憶装置に既に格納されている映像シーンに対して前記ビデオテープレコーダのスロー再生出力を上書きまたは追加する編集が指示された際、前記制御手段は、前記ビデオテープレコーダの再生をノーマル速度で行いながら前記ランダムアクセス記憶装置への書き込みを行うとともに、前記ＶＩＥＷ指示の有無に拘わらず前記仮のプレイリストを作成してこの仮のプレイリストに従って再度前記開始位置より予め定めた時間だけ前の位置から前記ランダムアクセス記憶装置の読み出しによる再生を開始し、かつ、前記読み出し手段の再生出力を選択するよう前記切替手段を制御し、当該スロー再生シーンの再生は指定されたスロー速度で行うことを特徴とする請求項２記載のノンリニア映像編集システム。
【請求項５】
前記ＶＩＥＷ指示による前記ランダムアクセス記憶装置からの再生の際、前記制御手段は、ユーザによる可変速再生操作を許容することを特徴とする請求項２記載のノンリニア映像編集システム。
【請求項６】
前記スロー再生出力を上書きまたは追加する編集における前記ランダムアクセス記憶装置からの再生の際、前記制御手段は、ユーザによる可変速再生操作を許容することを特徴とする請求項４記載のノンリニア映像編集システム。
【請求項７】
前記制御手段は、前記ランダムアクセス記憶装置に現在書き込んでいる位置を超えるような再生操作がユーザからあった場合には、その再生操作が可能になるまで再生の進行を停止することを特徴とする請求項５または６記載のノンリニア映像編集システム。
【発明の詳細な説明】
【０００１】
【発明の属する技術分野】
本発明は、テレビジョン放送に使用する映像編集システムに係り、特に、ランダムアクセスが可能な不揮発性のデジタルデータ記憶装置を用いたノンリニア映像編集システムに関する。
【０００２】
【従来の技術】
従来、映像編集システムとして、長らくビデオテープレコーダ（ＶＴＲ）が使用されてきた。ＶＴＲは、その記録媒体としてシーケンシャルアクセスを行う磁気テープを用いるため、あるシーンを録画した直後に、そのシーンを再生したいような場合に、テープ巻き戻しに伴う待ち時間が発生し、迅速な応答が困難であった。また、録画済みの映像の編集の際にも迅速な編集を行うには、シーケンシャルアクセスおよび低速な記録再生速度が支障となった。
【０００３】
【発明が解決しようとする課題】
これに対して、近年、映像のデータ圧縮技術の進歩と相俟って、磁気ディスク装置（ハードディスク装置）のようなより高速なランダムアクセスの可能な記憶媒体を利用したいわゆるノンリニア映像編集システムが使用され始めている。
【０００４】
ノンリニア映像編集システムにおいては、外部ＶＴＲや回線から一旦デジタイズしてディスク内に取り込んだ映像データについては、タイムラインと呼ばれる編集機能を用いて、迅速に、そのディスク内の映像の任意のシーンを切り出して組み合わせることにより、いわゆるカット編集を行うことができる。この際のシーンの「切り出し」は実際の映像データの複写を行う訳ではなく、単に、元の映像データの部分であるシーンを特定する情報、すなわちディスク上でのそのシーンの開始位置および終了位置の情報（通常、アドレス情報）を保持することにより、等価的に映像データの複写が行える。編集結果の再生時には、このシーン特定情報を参照して、元の映像データの対応する範囲の内容をディスクから読み出すことにより、再生が行われる。タイムライン上でのこのようなカットシーンを時系列に並べた映像データはパッケージと呼ばれる。したがって、一旦ディスクに取り込まれた映像データからカット編集を行うことは、極めて迅速かつ容易に実現される。
【０００５】
しかし、テレビ放送用のニュース編集などの用途においては、迅速性の要求のために外部ＶＴＲから直接編集を行ってパッケージを作成したい場合がある。このような場合、編集者は外部ＶＴＲにセットされたカセット内の取り込みの対象となるシーンを再生してその映像データをディスクに収録（デジタイズ）することにより、同時にそれらのシーンからなるパッケージを作成することになる。
【０００６】
従来、少なくともその取り込み対象のシーンを収録している間は、ノンリニア映像編集装置といえども、その時間を短縮することはできず、再生に３分かかるシーンの収録には同じ３分がかかる。その収録中の映像はリアルタイムでモニタで確認することができるが、収録の最中にモニタ上の映像に気になる箇所を発見したり、確認したかった箇所を見逃したりしても、そのシーンの収録が完了するまではその箇所を確認することはできない。勿論、ＶＴＲを停止してその箇所を確認することは可能であるが、その場合には、確認の結果何ら問題がなかったとしても、再度そのシーン全体の収録をやりなおさなければならない。逆に、気になる箇所を確認しないで収録が完了した後にその箇所を確認して問題があった場合には、その収録を初めからやり直す必要があるためその収録の時間は無駄になってしまう。１分、１秒を争うニュース編集等の用途ではこの時間の無駄は大きい。しかも、この問題は、そのシーンが長ければ長い程、顕著となる。
【０００７】
そこで、本発明は、このようなランダムアクセスの可能な記憶装置を利用した映像編集システムであって、外部ＶＴＲから収録を行っている最中であっても、その収録の完了を待つことなく、かつ、その収録を中断することなく、収録済みの映像部分を確認することができるノンリニア映像編集システムを提供することを目的とする。
【０００８】
【課題を解決するための手段】
本発明によるノンリニア映像編集システムは、映像データを格納するディスクと、このディスクへの映像データの書き込みおよび読み出しを独立に実行する読み書き手段と、外部のビデオテープレコーダの再生出力と前記ディスクの再生出力とを切り替えて外部のモニタへ出力する切替器と、前記読み書き手段および前記切替器を制御する制御手段とを備えたノンリニア映像編集システムにおいて、前記制御手段は、ユーザのＥＸＥＣ指示に従い、ディスクに既に格納されている各映像シーンの開始位置および終了位置を表わすデータからなるプレイリストにより定められる複数のカットシーンのパッケージに対して、外部のビデオテープレコーダからの再生シーンを上書きまたは追加編集する際、前記プレイリストに従うディスク再生出力と前記ビデオテープレコーダの当該再生シーンの出力とを前記切替器で切り替えて前記モニタへ出力することにより、書き込み中にリアルタイムに編集結果を観察できるようにするとともに、書き込み中にユーザからＶＩＥＷ指示があったときには、書き込みを停止することなく、前記リアルタイムの編集結果の観察のための動作を中止するとともに、当該編集結果を反映するよう更新した仮のプレイリストに基づいて、再度同じ編集結果を前記ディスクのみからモニタへ再生出力するよう制御を行うことを特徴とする。
【０００９】
この発明により、外部ＶＴＲから書き込みを行っている最中であっても、その書き込みの完了を待つことなく、かつ、その書き込みを中断することなく、書き込み済みの映像部分を確認することができる。
【００１０】
本発明によるノンリニア映像編集システムは、他の見地によれば、デジタル化された映像データを格納する不揮発性のランダムアクセス記憶装置と、該ランダムアクセス記憶装置に対する映像データの書き込み手段およびこれと独立動作可能な読み出し手段と、ユーザの指示に応じて外部のビデオテープレコーダを制御するとともに前記書き込み手段および読み出し手段を制御する制御手段と、該制御手段により制御され、前記ビデオテープレコーダの再生出力と前記ランダムアクセス記憶装置の読み出し手段からの再生出力とを選択的に外部のモニタに出力する切替手段と、前記制御手段は、前記ランダムアクセス記憶装置に既に格納されている映像シーンに対して前記ビデオテープレコーダの再生出力を上書きまたは追加する編集の際、当該上書きまたは追加の箇所または範囲、および、前記映像シーンに対して前記ビデオテープレコーダからの上書きまたは追加すべき再生出力の範囲の指定を受けて、当該ビデオテープレコーダの再生出力を前記書き込み手段により前記ランダムアクセス記憶装置に書き込むとき、前記ビデオテープレコーダを制御してテープの指定された範囲の開始位置より予め定めた時間だけ前の位置から再生を開始すると共に、前記ランダムアクセス記憶装置の読み出し手段を制御して前記指定された箇所または範囲より前記時間だけ前の位置から再生を開始し、かつ、前記読み出し手段からの再生出力を選択するよう前記切替手段を制御し、その後、テープの再生が前記指定された範囲の開始位置に達したとき、前記書き込み手段により前記ランダムアクセス記憶装置に格納された映像シーンとは別に新たな映像シーンとして前記ランダムアクセス記憶装置に書き込みを開始するとともに前記テープの再生出力を選択するよう前記切替手段を制御し、さらにその後、テープの再生が前記指定された範囲の終了位置に達したとき、前記書き込み手段の書き込みを停止するとともに再度前記読み出し手段からの再生出力を選択するよう前記切替手段を制御し、さらにその後、テープの再生が前記終了位置より予め定めた時間だけ後の位置に達したとき前記読み出し手段の再生を停止し、前記ランダムアクセス記憶装置に格納された映像シーンのデータを変更することなく当該映像シーンと前記新たな映像シーンとの時間軸上での上書きまたは追加の結果得られる各シーンをその各シーンに対応する前記アランダムアクセス記憶装置内のシーンの開始位置および終了位置のデータで特定するプレイリストを作成し、前記テープ上の全指定範囲の書き込みが終了するまでの間に、ユーザから編集結果の確認を行うためのビュー指示を受けたとき、前記テープの再生出力の書き込みは継続しながら、当該編集の結果を反映させた仮のプレイリストを作成してこの仮のプレイリストに従って再度前記開始位置より予め定めた時間だけ前の位置から前記ランダムアクセス記憶装置の読み出しを開始するとともに、前記読み出し手段の再生出力を選択するよう前記切替手段を制御することを特徴とする。
【００１１】
この構成において、ビデオテープレコーダの再生の停止の時機は、書き込みの停止時以降であればいつでもよい。また、開始位置、終了位置の一方に代えてまたは加えて、当該シーンの長さのデータを保持するようにしてもよい。
【００１２】
この構成によっても、外部ＶＴＲから収録を行っている最中であっても、その収録の完了を待つことなく、かつ、その収録を中断することなく、収録済みの映像部分を確認することができる。
【００１３】
好ましくは、前記制御手段は、前記ビデオテープレコーダの再生出力の書き込みを、前記指定範囲の開始位置より予め指定された時間だけ前の位置から開始し、前記終了位置より予め指定された時間だけ後の位置で終了する。
【００１４】
これにより前記新たな映像シーンは実際の指定された範囲よりもその前後に余裕をもって取り込まれることになり、編集点を移動するような際に空白シーンが生じるのを防止することができる。
【００１５】
前記ランダムアクセス記憶装置に既に格納されている映像シーンに対して前記ビデオテープレコーダのスロー再生出力を上書きまたは追加する編集が指示された際、前記制御手段は、前記ビデオテープレコーダの再生をノーマル速度で行いながら前記ランダムアクセス記憶装置への書き込みを行うとともに、前記ＶＩＥＷ指示の有無に拘わらず前記仮のプレイリストを作成してこの仮のプレイリストに従って再度前記開始位置より予め定めた時間だけ前の位置から前記ランダムアクセス記憶装置の読み出しによる再生を開始し、かつ、前記読み出し手段の再生出力を選択するよう前記切替手段を制御し、当該スロー再生シーンの再生は指定されたスロー速度で行う。
【００１６】
これによって、スロー再生による編集の際にも、ノーマル再生速度での収録を行いながら、ユーザには、あたかもスロー速度で収録されている編集結果をリアルタイムで同時確認しているようにみせることができる。
【００１７】
前記ＶＩＥＷ指示による前記ランダムアクセス記憶装置からの再生の際、前記制御手段は、ユーザによる可変速再生操作を許容することが好ましい。同様に、前記スロー再生出力を上書きまたは追加する編集における前記ランダムアクセス記憶装置からの再生の際、前記制御手段は、ユーザによる可変速再生操作を許容することが好ましい。これにより、ユーザによる編集結果のより柔軟な確認動作が迅速に行える。
【００１８】
前記制御手段は、前記ランダムアクセス記憶装置に現在書き込んでいる位置を超えるような再生操作がユーザからあった場合には、その再生操作が可能になるまで再生の進行を停止し、誤動作を未然に防止する。
【００１９】
【発明の実施の形態】
以下、本発明の具体的な実施の形態について、図面により詳細に説明する。
【００２０】
まず、図１に本発明が適用されたノンリニア映像編集システムの全体の概略構成を示す。このシステムは、中心にデジタル録画再生装置１０を有する。デジタル録画再生装置１０は、映像（ビデオ）データおよび音声（オーディオ）データをデジタル的に記憶する不揮発性のランダムアクセス記憶装置１４０を内蔵する。本実施の形態では、ランダムアクセス記憶装置１４０として、ハードディスク装置を用いる。デジタル録画再生装置１０の前段には、複数台のＶＴＲを接続できるセレクタ４を有する。また、電波による映像データを受信する受信装置（図ではマイクロ波受信装置を模擬的にパラボラアンテナで示している）も接続できる。セレクタ４の出力映像および受信装置の出力映像はそれぞれモニタ６ｃ，６ｄで監視することができる。セレクタ４はデジタル録画再生装置１０により制御される。デジタル録画再生装置１０の後段には、２系統の出力およびセレクタ４の出力を選択的に切替出力するスイッチャ８およびこの出力に加工を施すためのスーパー・モザイク装置１９１およびオーディオフェーダ１９２が配置されている。デジタル録画再生装置１０の２系統の出力映像はそれぞれモニタ６ａ，６ｂで監視できるようになっている。なお、これらのモニタ６ａ〜６ｄの全てが必須のものではない。また、スーパー・モザイク装置１９１およびオーディオフェーダ１９２も映像や音声の加工が必要な場合に用いればよい。
【００２１】
デジタル録画再生装置１０には、キーボード１４、マウス１６、およびディスプレイ１２が接続される。マウス１６の代わりにトラックボール等の任意のポインティングデバイスを用いることも可能である。ディスプレイ１２、キーボード１４およびマウス１６は、ＧＵＩ（Ｇｒａｐｈｉｃ  Ｕｓｅｒ  Ｉｎｔｅｒｆａｃｅ）を援助するための装置であり、収録、編集および再生等の各種操作を表示ディスプレイ画面上で対話的に行うためのものである。
【００２２】
さらに、デジタル録画再生装置１０には操作コントローラ（操作部）１８が接続される。ユーザは、後述するプロセッサの制御下で、操作コントローラ１８により、デジタル録画再生装置１０、スイッチャ８、スーパー・モザイク装置１９１、オーディオフェーダ１９２、外部ＶＴＲ等を操作することができる。操作コントローラ１８においても、マウス１６やキーボード１４を用いたＧＵＩによる操作と殆ど同じ操作を行うことができる。操作コントローラ１８特有の操作としては、ジョグ・シャトルダイアル１８ａによる再生速度の可変制御が可能である。このダイヤル１８ａの機能については後述する。
【００２３】
デジタル録画再生装置１０は、内部にランダムアクセス記憶装置１４０の他、後述するリソース１７１〜１７４を内蔵するとともに、ワイプ、ディゾルブ等の効果を実現するためのミックスエフェクト（Ｍ／Ｅ）カード１８０を内蔵している。
【００２４】
図２に、デジタル録画再生装置１０のハードウエア構成を示す。
【００２５】
デジタル録画再生装置１０には、本例では、１７スロットのＥＩＳＡバス１１０と、１２スロットのデジタルビデオバス（ＣＣＩＲ６０１）１３０を備えている。ＥＩＳＡバス１２５のスロットには、プロセッサカード１２１、ディスプレイコントローラカード１２２、ＲＳ４２２インタフェースカード１２５が装着される。また、カードによっては、ＥＩＳＡバス１２５およびデジタルビデオバス１３０の両スロットにまたがって装着される。図示の例では、このようなカードは、ゲンロックリファレンスカード１２４、ディスクコントローラカード１２３、ビデオ入力インタフェースカード１２６、ビデオ出力インタフェースカード１２７、およびオーディオ入出力インタフェースカード１２８である。
【００２６】
プロセッサカード１２１には、マイクロプロセッサ、ＲＡＭ、入出力インタフェース等が搭載されている。このプロセッサカード１２１には、システム用のハードディスクドライブ１６０およびフロッピーディスク（フレキシブルディスク）ドライブ１５０が接続され、さらにキーボード１４及びマウス１６が接続される。ディスプレイコントローラカード１２２にはディスプレイコントローラが搭載され、ディスプレイ１２の表示動作を制御する。
【００２７】
ビデオ入力インタフェースカード１２６には、外部ＶＴＲからのビデオ入力が接続され、ビデオ出力インタフェースカード１２７から外部のモニタへのビデオ信号が出力される。また、オーディオ入出力インタフェースカード１２８では、外部ＶＴＲからのオーディオ入力および外部のスピーカへのオーディオ出力のインタフェースがとられる。これらの入出力インタフェースカードは増設することができる。
【００２８】
デジタルビデオバス１３０には、入出力ビデオ信号を切り替えるビデオルータ１３３を内蔵している。ビデオルータ１３３は、プロセッサの制御下で、この例では、３２入力の任意の入力を３２出力の任意の出力へ切り替えることができる。
【００２９】
ディスクコントローラボード１２３は、ビデオ用ハードディスクドライブ（ランダムアクセス記憶装置）１４０を制御する。この例では、ＳＣＳＩ−２ＦＡＳＴ／ＷＩＤＥバス１３５を介して４．２Ｇバイトのハードディスクを複数台（図の例では４台：計１６．８Ｇバイト）制御している。ディスクコントローラボード１２３およびハードディスクドライブ（以下、単にディスクともいう）１４０は複数組増設することもできる。
【００３０】
ゲンロックリファレンスインタフェースカード１２４には、内部クロックを外部の通常のＮＴＳＣまたはＰＡＬのブラックバースト信号にロックするためのものである。ＲＳ４２２インタフェースカード１２５は、操作コントローラ１８を接続するためのインタフェースを提供する。
【００３１】
図３に、ディスクコントローラカード１２３に搭載されるディスクコントローラ１２３ａの構成を示す。これは、図２において、ディスクコントローラカード１２３を２枚実装した場合に相当する。１つのディスクコントローラ１２３ａには、２つのチャンネルのために２個のＪＰＥＧ(Joint Photographic Expert Group)圧縮／伸張チップ１２３ｂ，１２３ｃを有している。より長時間の映像信号の収録のために、本例では、モーションＪＰＥＧ圧縮技術を利用し、映像を圧縮してハードディスクに格納する。各チップには、１本のビデオ入出力チャンネルと、４本のオーディオ入出力チャンネルがあり、入力ビデオ信号およびオーディオ信号を圧縮してディスクに格納するとともに、この圧縮格納情報を伸張して出力することができる。
【００３２】
本システムでは、図４に示すように、おのおのレコーダまたはプレーヤとして機能しうる複数（ここでは４個）の物理的なリソース（ＪＰＥＧ圧縮伸張部）１７１〜１７４を有する。これら４個のリソースはそれぞれＡチャンネル〜Ｄチャンネルに対応し、また、これらのリソースの個数は、図３に示した圧縮／伸張チップの個数に対応する。ユーザの目的に応じてこれらのリソースを収録／再生あるいは編集等の異なる機能に割り当てることができる。本システムでは、このような論理的なビデオレコーダ（プレーヤ）を仮想レコーダあるいは仮想プレーヤ（または内部プレーヤ）と呼ぶ。図１の例では、リソース１７１をレコーダ専用に使用し、リソース１７２をレコーダとプレーヤに切り替え使用している。また、リソース１７３はプレーヤとタイムライン再生（編集）用に切り替えて使用し、リソース１７４はプレーヤ専用に使用している。各リソースは、ディスク１４０に対して独立にアクセスすることができる。また、ディスク１４０に対して、周知のストライピング等の手法により、見かけ上、書き込みと読み出しを同時に実行できるように構成されている。例えば、あるリソースで書き込み中のシーンデータを他のリソースで数秒の遅れで読み出すことができる。この数秒の遅れは、データの読み書きの相対的なずれを吸収するためのデータのバッファリングに相当する時間である。
【００３３】
ここで、本明細書における「タイムライン」とは複数の映像シーン（および対応する音声シーン）を時間軸上で組み合わせるカット編集の機能またはそのための作業エリアを表わし、このカット編集により作成されるものが「プレイリスト」である。プレイリストにより定まるパッケージの再生はプレーヤではなくタイムライン（ＴＬ）に割り当てられたリソースにより再生される。したがって、このリソースを「ＴＬ：タイムライン」と称することもある。
【００３４】
図５に、本実施の形態におけるディスプレイ１２の画面上に表示される基本的な編集画面（ルートウインドウと呼ぶ）の一例を示す。この画面は本システムの初期画面であり、この骨格に相当する映像データはシステム用のディスクに格納されており、種々のデータおよびパラメータの内容が画面内の各種エリア内に可変表示されるようになっている。各種エリアとしては、画面上段の左から「シーン管理」エリア、「ステータス」エリア、「オーディオ・モニタ」エリア、画面中段に「タイムデータ」エリア、画面下段に「タイムライン」エリアがある。
【００３５】
シーン管理エリアは、ディスク内に格納された映像データ（カセット、パッケージ等）の各種データを階層的に管理するためのものである。このエリアを参照しながら、目的のカセット（図１の仮想的な内部カセット１４１）やパッケージの選択、移動、複写、削除等が行える。シーン管理エリア内の右端には、シーン管理エリア内で選択されたパッケージ等の内容のリスト表示が行われるエリアがある。
【００３６】
ステータスエリアは、上述したチャンネルＡ〜Ｄの現在の割当の対象（回線、ＶＴＲ、ＴＬ、転送等）およびその状態（収録中、再生中、転送中等）を示している。図の例では、チャンネルＡがＶＴＲに、チャンネルＢがＴＬに、チャンネルＣが回線に、チャンネルＤが転送に、それぞれ割り当てられている。
【００３７】
オーディオ・モニタエリアは、オーディオの４つのトラックの現在の状態を示すためのエリアである。
【００３８】
タイムデータエリアは、タイムライン編集の対象となる各種パラメータを表示するエリアである。基準トラックの表示部、およびＴＬにおける編集対象の現在位置（ポジション）、編集対象シーンのＩＮ点、ＯＵＴ点、デュレーション、スプリット、スピードが表示される。「スプリット」とは、通常、基準トラックである映像トラックのカット点が音声トラックのシーンのカット点に対してずれている量を示す。このエリアには、さらに、ＴＬに対するソースとしてのデバイスの表示部（図ではデバイスＰＰ１が選択されている）、およびそのデバイスにおける編集対象のシーンのＩＮ点、ＯＵＴ点、デュレーションが表示される。
【００３９】
このエリアに下部には、現在ＴＬに掛けられているパッケージを構成しているシーンのＴＬ上のタイムコード、およびそのシーンの特定情報のリストを表示している。
【００４０】
タイムデータエリアの右側には、任意のデータ等を捨てるためのゴミ箱が配置されている。
【００４１】
タイムラインエリアは、与えられたパッケージの内容を時系列に表示するエリアであり、主としてこのエリアでタイムライン編集を行うことができる。タイムラインエリア内の表示は、タイムライン（時系列）表示とリスト表示とが切り替えられるようになっており、その指示はタイムラインエリアの左上にあるボタンで選択できる。図の例では、タイムライン表示が選択されている。タイムライン表示では、パッケージの先頭からの相対的な時間が時・分・秒・フィールド（またはフレーム）の形式の数値からなるタイムコードで示される。また、シーンの「上書き」および「割り込み」の選択ボタンも用意されている。時系列表示では、１本の映像のトラック（Ｖ）と、４本の音声トラック（Ａ１〜Ａ４）が表示される。図示しないが、各トラックの現在フォーカスされているシーンを強調して表示することが好ましい。Ｖトラック上の逆三角点は、現在の編集点の位置を示している。Ａ４トラックの下にあるバー表示は、タイムラインの再生の進行状況を示している。このタイムラインエリア内の横軸の縮尺は右下の虫眼鏡アイコンで可変操作できる。このバー表示の下に、全体のパッケージのどれだけの割合のどの部分が表示されているかをスクロールバー表示している。このタイムラインエリアの最下段には、タイムラインの再生等を操作するためのボタン（＜＜、＜、||、＞、＞＞）およびシーンのフォーカスを移動させるための（シーンの頭だし）ボタン（|＜、＞|）が配置されている。また、コマ送りのためのボタン（−、＋）、および後に詳述するＶＩＥＷ指示のためのＶＩＥＷボタンもある。
【００４２】
タイムラインエリアの右端には、各トラックの空白（ブランク）シーンの個数の表示部、および空白シーンの検索指示を行うボタンが配置されている。また、シーンの編集時に割り込みを行うか、上書きを行うかの選択ボタンも配置されている。
【００４３】
ルートウインドウ画面の左上の枠部には、「ファイル」や「編集」等のプルダウンメニューが配置されている。「ファイル」のメニューからファイルの作成、保存、名称変更等の操作が行える。さらに、その下には、各種操作ボタンを並べたツールバーが配置されている。
【００４４】
図６に、本実施の形態において用いる操作コントローラ１８の一例の平面図を示す。
【００４５】
操作コントローラ１８の左上の１８ｂは、右下のテンキー１８ｖでユーザが入力したタイムコードなどの数値を表示する液晶表示部である。その下のキー群１８ｃは、図５のタイムラインエリア内の操作対象のトラックを選択するためのものである。その下のＥＸＥＣキーは、後述するタイムライン編集における収録の実行指示を行うためのキーである。ＩＮＳＥＲＴキーおよびＯＶＥＲＷＲＩＴＥキーは、図５のタイムラインエリア内の「上書き」「割り込み」と同じ機能を果たす。キー群１８ｄは、操作の対象を選択するためのデバイス選択キーであり、「ＴＬ」はタイムライン、「Ｐ１」，「Ｐ２」は２台の外部ＶＴＲ、「ＰＰ１」，「ＰＰ２」は２台の内部の仮想プレーヤを表している。キー群１８ｅの中のＶＩＥＷキーは図５に示したＶＩＥＷボタンと同じであり、その機能は後述する。キー群１８ｄの下のＭＡＲＫＩＮキーとＭＡＲＫＯＵＴキーは、それぞれ、ユーザがモニタを見ながら所望のＩＮ点およびＯＵＴ点をシステムに知らせるためのキーである。その下のＡＬＬＳＴＯＰキーは、操作や動作の中断を指示するためのキーである。
【００４６】
操作コントローラ１８の中央上段のキー群１８ｈは、タイムライン編集において用いる編集キーである。その下のキー群１８ｉは、カセットの選択や編集点またはシーンの頭出しを行うためのキーである。更にその下のキー群１８ｊは、１倍速再生、静止画再生、タイムコードによるサーチのためのキーである。
【００４７】
中央下部には可変速再生操作のためのダイヤル１８ａがあり、その上に、このダイヤル１８ａをシャトルダイヤルとして機能させるか、あるいは、ジョグダイヤルとして機能させるかを指示するためのキー１８ｆ，１８ｇがある。シャトルダイヤルは、その回転角度に応じて再生速度を決定するものであり、傾きを大きくするほど再生速度が速くなる。傾きを０にすると再生が静止する。ジョグダイヤルはその回転の速さに応じて再生速度を決定するものであり、早く回転させるほど再生速度が速くなる。回転を停止すると再生が静止する。現在の再生の向きはインジケータ１８ｋにより表示される。ユーザは、通常、ダイヤル１８ａの操作を、再生出力の接続されたモニタを見ながら行う。
【００４８】
操作コントローラ１８の右上のキー群１８ｍは、図５等の画面の上に表示されるＧＵＩポインタ（図示せず）の操作キーである。ＧＵＩポインタは、ＴＡＢキー、ＳＨＩＦＴＴＡＢキーにより、後述するルートウインドウ内で順次各エリアにフォーカス（反転表示等）を移動し、そのエリア内でのフォーカスの移動を矢印キーにより行う。キー群１８ｎのＳＥＴＩＮキーはＩＮ点を、ＳＥＴＯＵＴキーはＯＵＴ点をテンキーで数値入力したときの確定用のキーである。キー群１８ｏ，１８ｐについては本発明に直接関係ないので説明を省略する。
【００４９】
図７に、本実施の形態においてビデオ用ハードディスクドライブ１４０に格納される映像等のデータのフォーマットを示す。外部のＶＴＲや回線からは、１トラック分の映像データ、４トラック分の音声データ、および１トラック分のタイムコード（ＴＣ）が組として、ハードディスクドライブ１４０内の仮想的な内部カセット（図１の１４１に対応）に格納される。なお、外部ＶＴＲからのタイムコードは、その外部ＶＴＲに装填された実カセット内の映像を撮影したカメラから生成され、映像とともにテープに記録されたものである。このタイムコードはオリジナルのタイムコードと呼ぶ。
【００５０】
本明細書では、内部カセットに一度に書き込まれる連続した映像等の単位を「レコード」と呼ぶ。また、内部カセットに記録されたレコード内の着目した一部分を「シーン」と呼ぶ。このシーンは、タイムライン編集時にその開始位置であるＩＮ点および終了位置であるＯＵＴ点の情報により特定される。このＩＮ点およびＯＵＴ点のデータはディスクの中で一意に定まるアドレスであり、ここでは「フィールド番号（またはフレーム番号）」である。このＩＮ点、ＯＵＴ点のデータがユーザによりタイムコードで指定された場合には、対応するフィールド番号に変換（換算）される。
【００５１】
図７の下段に示すように、このシーン特定情報を、タイムライン上で仮想的に時系列に並べることにより、シーンのカット編集が行える。このようなカット編集により出来上がったシーンの組合せが「パッケージ」である。ただし、パッケージは、実際には、このような複数のシーンの映像データ等（音声データを含む）の実体データを順次連続して複写したものではない。このパッケージの実体は、前述したように単なるシーンを特定する情報の集合にすぎない。このようなシーン特定情報の集合を本明細書ではプレイリストと呼んでいる。編集の完成したパッケージは、「パッケージ登録」により、名称を付けて保存することができる。この登録したパッケージは、図示しないパッケージウインドウの中に格納される。また、シーン管理エリアで確認することもできる。
【００５２】
図８に、このプレイリストの構成例を示す。プレイリストは、映像Ｖ、音声Ａ１，Ａ２，Ａ３，Ａ４の情報からなり、各面は、個々のシーンについて、そのシーンを格納した内部カセットのカセット名８１、シーン名８２、ＩＮ点８３、ＯＵＴ点８４、デュレーション（ＩＮ点からＯＵＴ点までのシーンの長さ）８５、再生速度８６を規定している。図８では、理解しやすいように、ＩＮ点およびＯＵＴ点をタイムコードの形式（時：分：秒：フィールド）で示しているが、実際にシステムが保持するのはこれをディスク内アドレスとしてのフィールド数に換算したフィールド番号である。システムは、パッケージの再生時にこのプレイリストを参照して順次該当するシーンの指定された部分をディスクから読み出すことにより、あたかもそれらのシーンが組み合わされた１本のビデオテープを再生しているかのように機能する。このようなパッケージのカット編集は、映像データ等の実体的な複写（再生および記録）動作を伴うことなく、単にシーンの特定情報の組合せで実現される。したがって、ディスク内に既に存在するレコードに基づくパッケージの作成および修正は極めて迅速に行うことができる。
【００５３】
さて、図９により、まず、本発明の前提となる、ＶＴＲから直接タイムライン編集する場合のシステムの概略構成および動作を説明する。
【００５４】
今、図９に示すように、操作制御部（１８，１２１）により、外部のＶＴＲ９０内に装着された実カセットのテープ上の特定のシーン（シーンｘ）を、本システムのディスク１４０内にある既存のパッケージ内のシーンＡの中間部分に上書きする場合を想定する。本実施の形態では外部のＶＴＲは同時に２台接続可能であり、システムではそれぞれ「Ｐ１」「Ｐ２」として区別する。この場合のユーザの操作としては、外部のＶＴＲ９０（ここではＰ１とする）に目的の実カセットをセットし、デジタル録画再生装置１０側ではルートウインドウ内のシーン管理エリアにおいて当該編集対象のパッケージを選択する。ついで、まず操作コントローラ１８のデバイス選択キー「Ｐ１」を選択するとともに、ジョグまたはシャトルのキー１８ｆ，１８ｇを押してダイヤル１８ａを操作することにより目的のシーンｘを捜し出す。シーンｘの開始位置の映像をモニタ上に表示した状態で操作コントローラ１８の「ＭＡＲＫＩＮ」ボタンを押す。次に、ダイヤル操作によりシーンｘの終了位置の映像をモニタに表示した状態で操作コントローラ１８の「ＭＡＲＫＯＵＴ」ボタンを押す。これにより、ＶＴＲ９０のシーンｘの範囲がシステムに認識される。
【００５５】
次に、選択されているパッケージをタイムライン上で再生するために、操作コントローラ１８のデバイス選択キー「ＴＬ」を押す。そこでダイヤル１８ａの操作によりパッケージの再生が行える。ユーザは、シーンｘを上書きすべきシーンＡ上の位置（ＩＮ点）をモニタ６ａ上の再生映像をみながら確定し、その映像が表示された状態で「ＭＡＲＫＩＮ」ボタンを押す。これによりシーンｘの長さからシーンｘが上書きされるシーンＡ上のＯＵＴ点は自動的に定まる。例えば、タイムライン側のＩＮ点はテンキーによるタイムコード入力で指定してもよい。ＩＮ点およびＯＵＴ点の一方に代えて、デュレーションを指定してもよい。タイムライン上のＩＮ点およびＯＵＴ点のいずれをも指定しない場合は、タイムライン上の現在位置をデフォルト値として用いることができる。変倍速度での収録の場合には、タイムライン上のＩＮ点およびＯＵＴ点の両方を指定する。
【００５６】
そこで、操作コントローラ１８の「ＥＸＥＣ」ボタンを押すことにより、シーンｘのディスク１４０内への複写と、パッケージのプレイリストの更新が自動的にシステムにより実行される。
【００５７】
図１１（ａ）に示すように、シーンＡは内部カセットである「カセット１」に記録されているとする。シーンＡのディスク１４０上のアドレスの範囲すなわちＩＮ点およびＯＵＴ点のアドレスはＡＤ１およびＡＤ４であり、この間にシーンＡの実体データが格納されている。また、同図（ｂ）に示すように、新たに取り込まれたシーンｘは新たな内部カセット「カセットｘ」に格納される。この代わりに上記と同じカセット１に追加格納されてもよい。シーンｘのＩＮ点およびおよびＯＵＴ点のアドレスはＡＤ８およびＡＤ９であるが、シーンｘの収録の際には、ＩＮ点より予め定めた時間Δｔだけ前の位置（アドレスＡＤ７）から、ＯＵＴ点より時間Δｔだけ後の位置（アドレスＡＤ１０）までのデータが取り込まれる。シーンｘの前後の時間Δｔの部分は「のりしろ」と呼ぶ部分であり、後に編集点の移動などの場合に備えて予め指定された範囲より余分に取り込んでおく部分である。こののりしろを設けることにより、編集点を移動するような際に空白シーンが生じるのを防止することができる。のりしろの長さはユーザが可変設定できる。前後ののりしろの時間は同じにしたが、異なってもよい。
【００５８】
このようにシーンｘをシーンＡに上書きするといっても、実際にはシーンＡをそのまま残したまま、別個にシーンｘをディスク内に取り込む。シーンの組合せはプレイリスト上で実現される。
【００５９】
図１２（ａ）に図１１（ａ）のカセット１からシーンＡ（ＡＤ１〜ＡＤ４）とシーンＢ（ＡＤ５〜ＡＤ６）をカット編集して得られたパッケージのプレイリストの例を示す。これに対して、シーンＡの中にシーンｘを上書きして得られたパッケージのプレイリストの例を図１１（ｂ）に示す。シーンＡの中間部にシーンｘが上書きされたことにより、シーンＡが前後にＡＤ１〜ＡＤ２とＡＤ３〜ＡＤ４とに二分され、その間にシーンｘのＡＤ８〜ＡＤ９が挿入されている。ユーザは、このシーンｘの収録完了後に、操作コントローラ１８のＶＩＥＷボタンによるＶＩＥＷ指示を行うことにより、このパッケージに基づいてシーンｘの前後の境界部分を含めてタイムライン再生を行うことができる。すなわち、これらのシーンが所望の態様で組み合わされた状態で映像および音声が再生される。
【００６０】
シーンｘの上書きの場合を示したが、割り込みの場合は、分割されたシーンＡの後半のＩＮ点がＡＤ３ではなくＡＤ２になる以外、上記とほぼ同様である。
【００６１】
図９に戻り、上記のシーンｘの収録が完了した後、その編集結果を確認できることは上記のとおりであるが、その収録の実行中にもその編集の結果がどのようになるかをアルタイムでユーザが確認できるようになっている。図１０（ａ）でこの収録と同時に確認を行うための再生動作を説明する。
【００６２】
図１０（ａ）に示すように、「ＥＸＥＣ」処理では、シーンｘのｎ秒（例えば５秒）前からＶＴＲの再生が開始されると同時にタイムラインのパッケージも指定されたＩＮ点よりｎ秒前の位置から再生が開始される。この時点でモニタ６ａへはタイムライン再生出力が供給されるように切替器９６でＶＴＲの再生出力が選択されている。なお、切替器９６は図１内に示されていない。ＶＴＲ再生がシーンｘのＩＮ点のΔｔ秒前の位置に達すると、ＶＴＲ再生出力のデジタイズが開始され、シーンｘの実体データがディスク内にＪＰＥＧデータとして圧縮して取り込まれる。このΔｔは前述したのりしろに対応するものである。ＶＴＲのＩＮ点からＯＵＴ点までの再生期間中は、切替器９６はＶＴＲ再生出力を選択するように切り替えられる。この期間中のタイムライン再生出力は、この上書き編集を行う前の状態のプレイリストに基づくものであるが、切替器９６がＶＴＲ側に切り替わるため、モニタ６ａには出力されない。ＶＴＲの再生がそのＯＵＴ点に達したとき、切替器９６は再度タイムライン再生出力を選択するように切り替えられる。ＯＵＴ点からΔｔ秒後の位置でＶＴＲ再生出力のデジタイズが停止される。さらに、ＯＵＴ点からｎ秒後の位置でタイムライン再生が停止される。このようにして、シーンｘの前のシーンからシーンｘへの移り変わり部分、およびシーンｘから次のシーンへの移り変わり部分を観察することができる。ＶＴＲの再生はデジタイズの終了時点で停止せずに、タイムライン再生と共に停止するようにしてもよい。
【００６３】
このようにＶＴＲから直接タイムライン編集する際に、タイムライン再生出力とＶＴＲ再生出力とを切り替えて再生することにより、編集と同時にリアルタイムにその編集結果を観察することができる。
【００６４】
しかしながら、従来技術において前述したように、シーンｘをデジタイズしている間は、ノンリニア映像編集装置といえども、その時間を短縮することはできず、シーンｘの収録には少なくともその再生時間と同じ時間がかかり、このデジタイズの最中にモニタ上の映像に気になる箇所を発見しても、現在の収録を無駄にする覚悟がない限り、そのシーンのデジタイズが終わるまではその箇所を再確認することはできず、この収録動作が完了するのを待つ必要があった。
【００６５】
そこで、本発明においては、シーンｘの収録の途中であっても、シーンｘのデジタイズは続行したまま、切替器９６を強制的にタイムライン再生側に切り替えるとともに当該編集対象のパッケージをＩＮ点のｎ秒前から再度タイムライン再生を開始するようにしたものである。さらに、図１２（ｂ）に示したようなパッケージの更新は、ＥＸＥＣ処理の中断の可能性の考慮してその処理が完了した後に行うのが好ましいが、収録途中でシーンｘのタイムライン再生を実現するために、本実施の形態では、ＥＸＥＣ処理の途中でＶＩＥＷ指示があった場合、システムは、図１２（ｂ）のプレイリストを新たなシーンの上書きに対応して更新した仮のプレイリストを作成し、これに基づいて、図１０（ｂ）に示すように、その時点以降、タイムライン再生を行う。また、ＶＩＥＷ指示に従って、切替器９６はＶＴＲ側からタイムライン側に切り替わる。ＶＩＥＷ指示によりタイムラインの再生はＩＮ点よりｎ秒前の位置まで戻って再開されるので、ディスク内のシーンｘの収録部分を再生し始めるころにはシーンｘのデジタイズは充分先行しており、シーンｘの同時読み書きに関して支障はない。
【００６６】
なお、この仮のプレイリストに基づいてタイムライン再生を行っているとき、システムは、ユーザがダイヤル１８ａを操作して所望の速度（例えばスロー）でタイムライン再生を操作（可変速再生操作）することを許容する。これにより、ユーザは、そのタイムライン再生を所望の点で静止させたり、巻き戻したり、再生速度を変えたりして所望の部分を存分に確認することができる。ユーザがタイムライン再生の早送りの指示によりシーンｘの収録済みの位置（実際には現在の収録点の数秒前の位置）を超えて再生しようとした場合には、その位置以上に再生が進まないように、すなわちシーンｘを格納したカセットｘの未書き込みの部分にまで読み出しが及ばないように制御する。
【００６７】
シーンｘの収録は図１におけるリソース１７１が担当し、若干の時間差をおいてその収録されたシーンｘの再生はリソース１７３が担当する。
【００６８】
このようにして、ユーザは、外部ＶＴＲからのシーンの収録途中であっても、即座に、気になる部分を自由に確認することができる。しかも、このことによって、現在実行されているシーンｘの収録には何ら影響は及ばない。その気になる部分を確認して問題なければ、出来上がったパッケージはそのまま有効に利用できる。問題がある場合には、ＥＸＥＣ処理を直ちに中止することにより、その時点以後にその処理に要する無駄な時間を節約することができる。
【００６９】
ところで、シーンｘの収録時にノーマル速度ではなくスロー速度（例えば１／２倍速）で収録したい場合がある。シーンｘをスローで収録するためには、シーンｘの長さ（ＩＮ点とＯＵＴ点の間隔）に対して、これに対応するタイムライン上でのＩＮ点およびＯＵＴ点の間隔を大きく設定することによって指定できる。
【００７０】
このようなスロー設定の場合でも、ノンリニアの映像記憶装置では、収録時には外部ＶＴＲをノーマル速度で再生するのが好ましい。これは、スローでの収録結果を再度変倍しようとしたときに任意の変倍が困難になる場合があるからである。したがって、収録はノーマル速度で行い、その収録されたシーンの属性として事後的にスロー速度を設定する。そのために、図８に示したように、プレイリスト８０において、シーン毎に再生速度８６を指定できるようになっている。システムは、タイムライン再生時にこの再生速度８６を確認して当該シーンの再生速度を決定する。しかしながら、収録をノーマル速度で行ったのでは、その際の前記「収録と同時の確認」は目的の編集結果と異なることにならざるを得ず、収録の完了後に、改めてＶＩＥＷ指示により目的の編集結果を確認することになる。
【００７１】
そこで、本実施の形態では、スロー設定時においても収録完了前に、編集結果と同様の速度での確認を行えるようにした。そのために、ＥＸＥＣ処理において、スロー設定がある場合には、ＶＩＥＷ処理を起動することにより当該シーンについてはスローでタイムライン再生を行うとともに、モニタ６ａにはこのタイムライン再生出力を流す。すなわち、図１０（ｃ）に示すように、この場合には、切替器９６はタイムライン側に切り替わったままとなる。一方、その裏では、ＥＸＥＣ処理においてノーマル速度でのシーンｘのデジタイズを行う。この場合のＶＩＥＷ処理におけるシーンｘのタイムライン再生速度はＶＴＲのノーマル再生速度より遅いので、シーンｘのデジタイズはシーンｘの再生より充分先行して行われる。但し、この場合もシステムは、ユーザがダイヤル１８ａを操作して所望の速度でタイムライン再生を操作することを許容する。したがって、ユーザがタイムライン再生の早送りの指示によりシーンｘの収録済みの位置を超えて再生しようとする場合がありうるが、その際には前述と同様、その位置以上に再生が進まないようにディスクの読み出しを制御する。
【００７２】
図１２に、本実施の形態における上述したＥＸＥＣ処理を実現するための処理手順の一例を示す。この処理および後続の図１３の処理は、プロセッサカード１２１に搭載のプロセッサにより実行される。
【００７３】
図１２のＥＸＥＣ処理は、ユーザによる操作コントローラ１８上のＥＸＥＣボタンの押下により起動される。ルートウインドウ上でのボタンやメニュー等の操作によって起動するようにしてもよい。
【００７４】
このＥＸＥＣの処理に先立って、ユーザは、ＶＴＲの収録対象のシーンのＩＮ点およびＯＵＴ点を指定し、また、ノーマル速度での収録の場合、タイムライン上の収録先のＩＮ点およびＯＵＴ点の少なくとも一方を指定している。変倍速度での収録の場合には、タイムライン上のＩＮ点およびＯＵＴ点の両方が指定されている。
【００７５】
ユーザからＥＸＥＣ指示がなされると、システムはユーザの入力情報に基づいて、ＶＴＲのＩＮ点およびＯＵＴ点、ならびにタイムライン上のＩＮ点およびＯＵＴ点を確認する（Ｓ１０１）。ついで、ＶＴＲを制御して、そのＩＮ点のｎ秒前から再生を開始するとともに、タイムライン側でもそのＩＮ点のｎ秒前から再生を開始する（Ｓ１０２）。また、タイムライン再生出力をモニタ６ａへ供給するよう切替器９６を制御する（Ｓ１０３）。
【００７６】
そこで、スロー設定があるかどうかを確認する（Ｓ１０４）。すなわち、ＶＴＲのＩＮ点およびＯＵＴ点の差とタイムラインのＩＮ点およびＯＵＴ点の差が異なるかどうかを確認する。スロー設定であれば、後述するＶＩＥＷ処理を起動する（Ｓ１０５）。スロー設定でなければ、ステップＳ１０５を迂回して、ステップＳ１０６へ進み、ここで、ＶＴＲ再生がＩＮ点からのりしろ時間Δｔだけ前の位置に到達するまで、待機する。到達した地点で、ＶＴＲ再生出力のデジタイズを開始する（Ｓ１０７）。
【００７７】
そこで、ＶＩＥＷを実行中かどうかを確認する（Ｓ１０８）。ＶＩＥＷ実行中であれば、後述するステップＳ１３３へジャンプする。これはＶＩＥＷの処理内容と抵触するＥＸＥＣの処理内容を迂回するためである。
【００７８】
ＶＩＥＷ実行中でなければ、ＶＴＲ再生がＩＮ点に到達するまで待機し（Ｓ１０９）、到達した時点で、ＶＴＲ再生出力をモニタ６ａへ供給するように切替器９６を制御する（Ｓ１１０）。その後、ＶＴＲ再生がＯＵＴ点に到達するまで待つ（Ｓ１１１）。ＯＵＴ点に到達した時点で、タイムライン再生出力をモニタ６ａへ供給するように切替器９６を制御する（Ｓ１１２）。
【００７９】
その後、ＶＴＲ再生がＯＵＴ点からのりしろ時間Δｔだけ後の位置に到達するまで待ち（Ｓ１１３）、到達した時点でＶＴＲ再生出力のデジタイズを終了する（Ｓ１１４）。
【００８０】
そこで、再度、ＶＩＥＷを実行中かどうかを確認する（Ｓ１１５）。ＶＩＥＷ実行中であれば、後述するステップＳ１１８へジャンプする。ＶＩＥＷ実行中でなければ、タイムラインの再生がそのＯＵＴ点からｎ秒後の位置に到達するまで待ち（Ｓ１１７）、到達した時点でタイムライン再生を停止すると共に、ＶＴＲの再生を停止する（Ｓ１１７）。最後に、このＥＸＥＣ処理の結果を反映するように、プレイリストを更新して（Ｓ１１８）、本処理を終了する。
【００８１】
次に、図１３に、本実施の形態におけるＶＩＥＷ処理の処理手順の一例を示す。この処理は、ユーザによるＶＩＥＷ指示により起動される他、前述のようにスロー設定におけるＥＸＥＣ指示時にも起動される。
【００８２】
このＶＩＥＷ処理において、まず、現在ＥＸＥＣ処理を実行中であるかどうかを確認する（Ｓ２０１）。実行中であれば、タイムライン再生出力をモニタ６ａへ供給するよう切替器９６を制御し（Ｓ２０５）、指定されているパッケージの現在のプレイリストに基づいてＩＮ点のｎ秒前の位置から、各シーンに指定された速度でタイムラインの再生を開始する（Ｓ２０６）。この際にも、前述のようにユーザによる任意の可変速再生操作が許容される。続いて、後述するステップＳ２０７へ進む。
【００８３】
先のステップＳ２０１において、ＥＸＥＣ処理を実行中であることが判明した場合には、入力情報に基づいて、当該パッケージの仮のプレイリストを作成する（Ｓ２０２）。また、タイムライン再生出力をモニタ６ａへ供給するよう切替器９６を制御する（Ｓ２０３）。そこで、この仮のプレイリストに基づいて、タイムラインのＩＮ点のｎ秒前から、各シーンについて指定された速度でタイムラインの再生を開始する（Ｓ２０４）。この際、ユーザによる任意の可変速再生操作が許容される。
【００８４】
次に、ユーザが可変速再生操作を行っているかを調べ（Ｓ２０７）、行っている際にはこのユーザによる可変速再生操作により、タイムラインのカレントポイントがタイムライン再生可能点を超えるような指示があったとき、それが可能になるまで再生の進行を停止して待機する（Ｓ２１０）。ユーザによるＶＩＥＷ中止の指示（明示的なものでなく、他の指示に伴うものでも可）があれば（Ｓ２１３）、本処理を終了する。
【００８５】
先のステップＳ２０７でユーザが可変速再生操作を行っていない場合には、タイムラインの再生がＯＵＴ点のｎ秒後の位置に到達するまで待ち（Ｓ２０８）、その位置に到達した時点で、仮のプレイリストが存在する場合には仮のプレイリストを廃棄する（Ｓ２０９）。その後、タイムライン再生を停止して（Ｓ２１２）、本処理を終了する。
【００８６】
以上、本発明の好適な実施例について説明したが、本発明の要旨を逸脱することなく種々の変形・変更を行うことが可能であることは、当業者には明らかであろう。
【００８７】
【発明の効果】
本発明によれば、外部ＶＴＲから収録を行っている最中であっても、その収録の完了を待つことなく、かつ、その収録を中断することなく、収録済みの映像部分を確認することができるノンリニア映像編集システムを提供することができる。したがって、本発明は、ニュース編集等、編集に要する時間に制約がある用途に利用して顕著な効果を奏する。
【００８８】
【図面の簡単な説明】
【図１】本発明による映像編集システムの概略構成を示す説明図である。
【図２】図１のシステム内のデジタル録画再生装置１０の内部構成を示す構成図である。
【図３】図２の装置内のディスクコントローラ１２３ａの内部構成を示す模式図である。
【図４】図１のシステム内のデジタル録画再生装置内のディスクと、レコーダまたはプレーヤとして機能しうる複数の物理的なリソース（資源）との関係を示す模式図である。
【図５】本発明の実施の形態におけるディスプレイ１２上に表示される基本的な編集画面（ルートウインドウと呼ぶ）の一例の中間調画像を示す図である。
【図６】図１のシステムにおいて用いられる操作コントローラの一例の平面図である。
【図７】本発明の実施の形態においてビデオ用ハードディスクドライブ１４０に格納される映像等のデータのフォーマットを示す図である。
【図８】本発明の実施の形態におけるプレイリストの構成例を示す図である。
【図９】本発明の実施の形態においてＶＴＲから直接タイムライン編集する場合のシステムの動作を説明するための図である。
【図１０】本発明の実施の形態における（ａ）ＥＸＥＣ処理、（ｂ）ＥＸＥＣ処理中のＶＩＥＷ処理、（ｃ）スロー設定時のＥＸＥＣ処理の各動作の説明図である。
【図１１】本発明の実施の形態における（ａ）カセット１、（ｂ）カセットｘの説明図である。
【図１２】本発明の実施の形態における（ａ）更新前のプレイリスト、（ｂ）更新後のプレイリストの例の説明図である。
【図１３】本発明の実施の形態におけるＥＸＥＣ処理の処理手順の一例を示すフローチャートである。
【図１４】本発明の実施の形態におけるＶＩＥＷ処理の処理手順の一例を示すフローチャートである。
【符号の説明】
４…セレクタ、６…モニタ、８…スイッチャ、１０…デジタル録画再生装置、１２…ディスプレイ、１４…キーボード、１６…マウス、１８…操作コントローラ、８０…プレイリスト、９０…外部ＶＴＲ、９６…切替器、１１０…ＥＩＳＡバス、１２１…プロセッサカード（ＲＡＭ含む）、１２２…ディスプレイコントローラカード、１２３…ディスクコントローラカード、１２４…ゲンロックリファレンスカード、１２５…ＲＳ４２２インタフェースカード、１２６…ビデオ入力インタフェースカード、１２７…ビデオ出力インタフェースカード、１２８…オーディオ入出力インタフェースカード、１３０…デジタルビデオバス、１３３…ビデオルータ、１３５…ＳＣＳＩ−２バス、１４０…ビデオ用ハードディスクドライブ（ランダムアクセス記憶装置）、１４１…カセット、１５０…フロッピーディスクドライブ、１６０…システム用ハードディスクドライブ。
【図１】
0003895848.tif 000002
【図２】
0003895848.tif 000003
【図３】
0003895848.tif 000004
【図４】
0003895848.tif 000005
【図５】
0003895848.tif 000006
【図６】
0003895848.tif 000007
【図７】
0003895848.tif 000008
【図８】
0003895848.tif 000009
【図９】
0003895848.tif 000010
【図１０】
0003895848.tif 000011
【図１１】
0003895848.tif 000012
【図１２】
0003895848.tif 000013
【図１３】
0003895848.tif 000014
【図１４】
0003895848.tif 000015